(57)【要約】【課題】  通常可視化されていないにも係わらず、特別な画像処理機能を有しない検出機で読み取り可能な不可視バーコード及びその検出方法を提供する。【解決手段】  第一に、基材上に、データ部と地模様部を有する不可視バーコードであって、地模様部が蛍光物質及び結着樹脂を含有する皮膜で形成された不可視バーコード。第二に、基材上に、データ部と地模様部を有する不可視バーコードを、紫外線照射部と光学的検出部を有する検出器で検出する方法であって、該不可視バーコードが、地模様部に蛍光物質及び結着樹脂を含有する皮膜が形成された不可視バーコードであり、検出器の光学的検出部が画像反転機能を有しない光学的検出部である不可視バーコードの検出方法。【選択図】    なし【特許請求の範囲】
【請求項１】
基材上に、データ部と地模様部を有する不可視バーコードであって、地模様部が蛍光物質及び結着樹脂を含有する皮膜で形成されたことを特徴とする不可視バーコード。
【請求項２】
前記した蛍光物質が、２３０〜４００ｎｍに励起波長の最大値を有する蛍光物質である請求項１に記載の不可視バーコード。
【請求項３】
前記した蛍光物質の結着樹脂に対する含有比率が０．５〜２０質量％である請求項１に記載の不可視バーコード。
【請求項４】
前記した蛍光物質が、２３０〜４００ｎｍに励起波長の最大値を有する蛍光物質であり、結着樹脂がウレタン、ニトロセルロース、ポリアマイド、アクリル、ポリエステル、塩化ビニル、石油樹脂から選ばれる１種又はこれ等の混合物である請求項１に記載の不可視バーコード。
【請求項５】
前記した地模様部に形成された蛍光物質及び結着樹脂を含有する皮膜の厚さが０．１〜２．０μｍである請求項１に記載の不可視バーコード。
【請求項６】
前記した基材が、可視の印刷模様が施された印刷基材である請求項１に記載の不可視バーコード。
【請求項７】
基材上に、データ部と地模様部を有する不可視バーコードを、紫外線照射部と光学的検出部を有する検出器で検出する方法であって、該不可視バーコードが、地模様部に蛍光物質及び結着樹脂を含有する皮膜が形成された不可視バーコードであり、検出器の光学的検出部が画像反転機能を有しない光学的検出部であることを特徴とする不可視バーコードの検出方法。
【請求項８】
可視の印刷模様が施された印刷基材上に、データ部と地模様部を有する不可視バーコードを、紫外線照射部と光学的検出部を有する検出器で検出する方法であって、該不可視バーコードが、地模様部に蛍光物質及び結着樹脂を含有する皮膜が形成された不可視バーコードであり、検出器の光学的検出部が画像反転機能を有しない光学的検出部であることを特徴とする不可視バーコードの検出方法。
【発明の詳細な説明】
【技術分野】
【０００１】
本発明は、蛍光物質を含有するクリアインキで印刷された不可視バーコード及び検出方法に関する。
【背景技術】
【０００２】
近年、バーコードによる情報入力の迅速さ、正確さ、簡便さが広く認識されてきた為、バーコードによる商品管理が盛んになって来ている。多くの分野で使用されるようになって来た結果、印刷物の意匠性確保、バーコードを印刷する特定のスペースを確保、又、製品履歴の保証、偽造防止の確保等への展開がなされている。そこで、可視光下では目視不可能であり所定の波長の光の照射により蛍光を発し目視可能となる不可視バーコードが提案されている。
【０００３】
例えば不可視バーコードは、可視光下では目視不可能であるが紫外線を照射すると励起されて可視光の発光を発して目視可能となる蛍光物質を含んだインキで印刷することにより形成することが出来る（例えば、特許文献１参照）。
【０００４】
しかしながら、不可視バーコードの読み取りは、特定励起光源で照射した際に、データ部が発する蛍光と、前記特定励起光源で蛍光を発光せず黒地と認識される下地部とのコントラストを検知している。そのため、本来のバーコード情報の読み取りとしては、光学的な画像検知の後工程として、画像情報の反転工程を必要としている。
【０００５】
一方、不可視バーコードは、バーコードの存在を検出する必要から、バーコードのデータ部に形成される模様の連続部よりも十分長く連続した導入部を有する不可視バーコードが提案されている。特に、複数本のバーで形成されるデータ部と、該バーが形成される地模様部とが、蛍光物質を含有するインキで反転して媒体上に印刷形成された不可視バーコードが提案されている（例えば、特許文献２参照）。
【０００６】
【特許文献１】特開平７−５７０６５号公報
【特許文献２】特開平７−２７１８９６号公報
【発明の開示】
【発明が解決しようとする課題】
【０００７】
本発明の課題は、通常可視化されていないにも係わらず、特別な画像処理機能を有しない検出機で読み取り可能な不可視バーコード、検出方法を提供することにある。
【課題を解決するための手段】
【０００８】
上記課題である、特別の画像処理機能を有しない汎用の読み取り機の活用に当たり、バーコードのデータ部と地模様部を反転印刷することにより、データ部を黒地として認識することが出来、上記課題を解決するに至った。
【０００９】
すなわち、本発明は第一に、基材上に、データ部と地模様部を有する不可視バーコードであって、地模様部が蛍光物質及び結着樹脂を含有する皮膜で形成されたことを特徴とする不可視バーコードを提供する。
【００１０】
本発明は第二に、基材上に、データ部と地模様部を有する不可視バーコードを、紫外線照射部と光学的検出部を有する検出器で検出する方法であって、該不可視バーコードが、地模様部に蛍光物質及び結着樹脂を含有する皮膜が形成された不可視バーコードであり、検出器の光学的検出部が画像処理機能を有しない光学的検出部であることを特徴とする不可視バーコードの検出方法を提供する。
【発明の効果】
【００１１】
本発明により、特別の画像処理機能を有しない汎用の光学的検出器であっても、容易に不可視バーコードを読み取ることが可能となる不可視バーコード及び該バーコードと特別の画像処理機能を有しない汎用の光学的検出器との組み合わせでの検出方法を提供することができる。
【発明を実施するための最良の形態】
【００１２】
本発明は、不可視バーコード、及び、特別の画像反転機能を有しない汎用の光学的検出器による検出方法に関する。
【００１３】
本発明の不可視バーコードは、基材上に、データ部と地模様部を有する不可視バーコードであって、地模様部が蛍光物質及び結着樹脂を含有する皮膜で形成されたことを特徴としている。バーコードを有する基材としては、紙、フィルム等の包装材料基材、ガラス、金属等の各種基材を用いることが出来る。基材表面である印刷前の地模様部は、紫外線照射に対して蛍光を発しない素材であれば、明所で視認される色は何であっても良い。更に、可視の印刷模様が施されていても良い。
【００１４】
蛍光物質及び結着樹脂を含有する皮膜は、該蛍光物質と結着樹脂に更に水系又は溶剤系等の希釈剤を含有する蛍光物質含有インキを用いて、凸版印刷、フレキソ印刷、グラビア印刷、スクリーン印刷、オフセット、インキジェット、熱転写等々の各種印刷方法により形成する。
【００１５】
地模様部に蛍光物質及び結着樹脂を含有する皮膜を形成するための蛍光物質含有インキとしては、例えば、前記した蛍光物質が、２３０〜４００ｎｍ程度に励起波長の最大値を有する蛍光物質であると、照射光源の選択に自由度が増し、検出器の照射部分を容易に調達することが出来る。
【００１６】
前記した蛍光物質の結着樹脂に対する含有比率は、０．１〜２０．０質量％であると、検出精度と皮膜の耐久性のバランスが特に良好となる。
【００１７】
例えば、熱転写の用途には、前記した結着樹脂がニトロセルロース、ポリアマイドであることが好ましい。
【００１８】
前記した地模様部に形成された蛍光物質及び結着樹脂を含有する皮膜の厚さは、０．１〜２．０μｍであることが好ましい。
【００１９】
本発明の不可視バーコードの検出方法は、基材上に、データ部と、蛍光物質及び結着樹脂を含有する皮膜が形成された地模様部を有する不可視バーコードを、紫外線照射部と光学的検出部を有する検出器で検出する方法であって、検出器の光学的検出部が画像処理機能を有しない光学的検出部であることを特徴としている。
【００２０】
本検出方法は、暗所で、前記不可視バーコードに前記検出器の紫外線照射部を用いて、紫外線を照射し、前記画像反転機能を有しない光学的検出部でデータを読み取るものである。本検出方法における検出の原理は以下のようである。紫外線照射で、蛍光物質及び結着樹脂を含有する皮膜が形成された地模様部が蛍光を発する一方、本来のデータ部は前記紫外線照射に対して、蛍光を発することなく、「黒地」部分と認識されることにより、黒地部分をデータとして認識することで、後の画像反転の工程を経ずに直接に、バーコード情報を読み取っている。
【００２１】
前記した検出器の紫外線照射部としては、外部からの光を遮断する機能と、紫外線を発する励起光源を備えればよい。励起光源としては２３０〜４００ｎｍ波長の紫外線を発する光源が好ましい。例えば、波長３７５ｎｍ程度の紫外線を発するＬＥＤ、例えば、セミコンダクター社製、ナイトライトＮＳ３７５Ｌ−５ＲＬＯ等を用いることが出来る。
【００２２】
前記画像処理機能を有しない光学的検出部としては、既存の可視バーコード読み取り装置を用いることが出来る。より簡易な装置として、カメラ機能を有する携帯電話も使用することが出来る。
【００２３】
不可視バーコードは、基本的に、第三者には、その存在自体を知られないために、通常の可視光の下では、視認できないが、バーコード付与者及び付与者から特定の認証を得ている者は、その存在箇所を認識している状態にある。
【００２４】
食品や、医薬品等、特に流通後の履歴追跡を必要とする場合、生産者は、包装材料の特定位置に、本願発明の不可視バーコードを設けることができる。外部光を遮断する枠部と特定の波長の紫外線を発する励起光源を配置し、光学系の焦点距離に応じてピントの合う位置に光学的検出部を配置することで、画像処理機能を有しない光学的検出部でデータを容易に読み取ることができる。この場合、不可視バーコードとすることで、例えば、偽造の防止を図ることが出来る。
【００２５】
又、最近、新聞、雑誌、広告等の印刷物に、可視の二次元バーコードが印刷されている。これは、普及が著しい携帯電話のカメラ機能を利用して、バーコードを読み取るとともに、バーコード掲載元への容易なアクセスを可能にしている。通常は、略白地の印刷基材に黒色のデータ部分を有するバーコードが印刷されており、画像処理機能を有しない携帯電話のカメラ機能で黒色のデータを読み込んでいる。
【００２６】
本発明の不可視バーコードは例えば、以下のような利用の方法が考えられる。新聞、雑誌、広告等の印刷基材に、本発明の不可視バーコード、すなわち、データ部と地模様部を有する不可視バーコードであって、地模様部が蛍光物質及び結着樹脂を含有する皮膜で形成されたことを特徴とする不可視バーコードを設ける。バーコード付与者と何らかの契約関係にある者、すなわち、特定の会員、イベントの参加者等に、特定印刷物の特定箇所に不可視バーコードの存在を通知する。通知された者は、携帯電話のカメラ機能で不可視バーコードを読み取り、例えば、広告主への直接のアクセスによって、新商品、新サービス等を一般よりも事前に早く情報を優先的に入手するなど、何らかの特典を得ることができる。
【実施例】
【００２７】
以下、実施例によって、本発明を具体的に説明する。
（蛍光物質含有クリアインキ（１）の調製）
以下の組成を有する蛍光物質含有クリアインキ（１）を調製した。（不揮発分：３３％）
硝化綿      （ＳＮＰＥ社製  Ｓ１／４：Ｎ．Ｖ．７０％）            ２１部
可塑剤Ａ    （大日本インキ社製    エポサイザーＷ−１００ＥＬ）      ６部
可塑剤Ｂ    （大日本インキ社製    モノサイザーＡＴＢＣ）            １部
酢酸エチル                                                        ３０部
トルエン                                                          ３０部
ＩＰＡ                                                              ７部
蛍光体      （クラリアントジャパン社製    CartaxCXDP）            ５部
（合計）                                                        １００部
を配合し、蛍光物質含有クリアインキ（１）を調製した。
【００２８】
（不可視バーコードの作成）
基材として、２軸延伸ポリエステルフィルム１２μｍを用い、特定情報を有するバーコードを反転した画像を、前記蛍光物質含有クリアインキ（１）で、乾燥皮膜厚０．５μｍにて、グラビア印刷して、本発明の不可視バーコードを得た。
【００２９】
（紫外線照射部）
一例として、茶筒の蓋状形態であり、天面の中央に検出窓部を設け、天面内側に、発光波長３７５ｎｍのＬＥＤ（セミコンダクター社製、ナイトライトＮＳ３７５Ｌ−５ＲＬＯ）を４個設け、円筒の高さを携帯電話のカメラ機能の光学系に応じたピントの合う高さとした紫外線照射部を作成した。円筒部分及び天面によって、外部からの光を遮断した状態で、窓部を通して蛍光及び黒地部を検出できる。
【００３０】
（光学的検出部）
光学的検出部としてカメラ機能を有する携帯電話を使用した。前記した紫外線照射部と、カメラ機能を有する携帯電話（ＮＴＴＤｏＣｏＭｏＮ９００ｉＧ、ａｕＷ２１Ｔ）で、目的の不可視バーコードの正しい読み取りが可能であった。更に、携帯電話での、バーコードの広告主へのアクセスが可能で、本来の目的である新規広告情報の入手が可能であった。
【００３１】
（比較例）
基材として、実施例と同様に、２軸延伸ポリエステルフィルム１２μｍを用い、特定情報を有するバーコードの画像を反転せず、前記蛍光物質含有クリアインキ（１）で、乾燥皮膜厚０．５μｍにて、グラビア印刷して、本発明の比較例不可視バーコードを得た。前記実施例と同様の手順で、読み込んだところ、地模様部を黒地と認識し、バーコードの本来のデータとしての認識は出来なかった。
【産業上の利用可能性】
【００３２】
本発明により、特別の画像反転機能を有しない汎用の光学的検出器であっても、容易に不可視バーコードを読み取ることが可能となる不可視バーコード及び該バーコードと特別の画像反転機能を有しない汎用の光学的検出器との組み合わせでの検出方法を提供することができる。現在普及の著しいカメラ機能を有する携帯電話での検出も可能であり、高度のセキュリティを要する工業的分野ばかりでなく、末端消費者サイドでの活用も図られる。